(57)【要約】【課題】  演奏者が意図する音色でメロディパートの楽音を発音させるようにすることが、可及的に簡単な操作により実現できるようにする。【解決手段】  自動伴奏スイッチ２１ａ〜２１ｆの何れかが演奏者により操作されると、操作された自動伴奏スイッチ２１ａ〜２１ｆに対応する自動伴奏に適した１つ又は複数の音色を、フラッシュメモリ３に格納されているテーブルから読み出し、読み出した音色に対応する音色スイッチ２２ａ〜２２ｆに内蔵されているＬＥＤ３２ａ〜３２ｆを点滅させることにより、自動伴奏に適した１つ又は複数の音色を演奏者に報知して、音楽に不慣れな初心者であっても自動伴奏に適した音色を効率良く、短時間で選択することができるようにする。【選択図】  図２
2005284075.tif 000002
【特許請求の範囲】
【請求項１】
複数の自動伴奏から所望の自動伴奏を演奏者が選択する際に用いられる複数の自動伴奏選択用操作子と、
前記複数の自動伴奏選択用操作子の何れかを用いて演奏者により選択された自動伴奏に適した１つ又は複数の音色を、演奏者に報知する音色候補報知手段とを有することを特徴とする電子楽器。
【請求項２】
複数の音色から所望の音色を演奏者が選択する際に用いられる複数の音色選択用操作子と、
前記複数の音色選択用操作子のそれぞれに対応付けられて配設された複数の発光手段とを有し、
前記音色候補報知手段は、前記自動伴奏選択用操作子を用いて演奏者により選択された自動伴奏に適した１つ又は複数の音色を演奏者に選択させるようにするための音色選択用操作子に対応付けられて配設された発光手段を点滅させることを特徴とする請求項１に記載の電子楽器。
【請求項３】
前記音色候補報知手段は、前記音色選択用操作子を用いて演奏者により音色が選択された場合には、その音色選択用操作子に対応付けられて配設された発光手段を点灯させることを特徴とする請求項２に記載の電子楽器。
【請求項４】
前記音色候補報知手段は、前記発光手段を点滅させた後に、前記音色選択用操作子を用いて演奏者により音色が選択された場合には、その音色選択用操作子に対応付けられて配設された発光手段を点灯させるとともに、その他の発光手段を消灯させることを特徴とする請求項３に記載の電子楽器。
【請求項５】
前記音色候補報知手段は、前記発光手段を点滅させた後に、前記音色選択用操作子を用いて演奏者により音色が選択された場合には、その音色選択用操作子に対応付けられて配設された発光手段を点灯させるとともに、その他の点滅中の発光手段の点滅を継続させることを特徴とする請求項３に記載の電子楽器。
【請求項６】
前記音色候補報知手段は、前記音色選択用操作子を用いて演奏者により選択された音色が、その音色選択用操作子と異なる音色選択用操作子を用いて演奏者により変更された場合には、その音色選択用操作子と異なる音色選択用操作子に対応付けられて配設された発光手段を点灯させるとともに、先に点灯させた発光手段が、前記自動伴奏に適した音色を演奏者に選択させるようにするための音色選択用操作子に対応付けられて配設された発光手段である場合には、その発光手段を点滅させることを特徴とする請求項５に記載の電子楽器。
【請求項７】
前記音色候補報知手段は、演奏者からの指示に基づいて、点滅させている発光手段を消灯させることを特徴とする請求項５又は６に記載の電子楽器。
【請求項８】
前記音色選択用操作子を用いて選択した音色で演奏することを確定する際に演奏者により操作される確定操作子を有し、
前記音色候補報知手段は、前記確定操作子の演奏者による操作に基づいて、点滅させている発光手段を消灯させることを特徴とする請求項７に記載の電子楽器。
【請求項９】
前記複数の自動伴奏のそれぞれに対して、その自動伴奏に適した１つ又は複数の音色が登録されたテーブルを有し、
前記音色候補報知手段は、前記複数の自動伴奏選択用操作子の何れかを用いて演奏者により選択された自動伴奏に適した１つ又は複数の音色を、前記テーブルの登録内容を参照して抽出し、抽出した１つ又は複数の音色を演奏者に報知することを特徴とする請求項１〜８の何れか１項に記載の電子楽器。
【発明の詳細な説明】
【技術分野】
【０００１】
本発明は、電子楽器に関し、特に、自動伴奏を行うために用いて好適なものである。
【背景技術】
【０００２】
従来から、電子楽器には、自動伴奏データに基づく楽音を所望のテンポで発音させる自動伴奏機能が設けられている。かかる自動伴奏機能を利用する演奏者は、自動伴奏データに合った音色を選択し、選択した音色でメロディパートを演奏することになる。
ところで、近年、電子楽器に設けられているメモリの容量が大きくなってきた。したがって、多数の自動伴奏データ（例えば数百種類以上の自動伴奏データ）を前記メモリに記憶させることができる電子楽器が実現されている。
【０００３】
このような多数の自動伴奏データが記憶されている電子楽器において、演奏者が前記自動伴奏機能を利用する場合、演奏者は、多数の自動伴奏データの中から所望の自動演奏データを選択し、さらに選択した自動伴奏に合った音色を選択することになる。
したがって、よほど音楽に慣れた演奏者でないと、選択した自動伴奏データに合った音色が何であるのか分からない。このため、多くの演奏者は、実際に自動伴奏機能を実行しながら、メロディパートの音色を切り替えて、自動伴奏とメロディパートの音色とが合うかどうかを確認するための操作を行うことになる。
しかしながら、このような操作は、演奏者が試行錯誤により行うものであり、大変難しく、多大な時間を要してしまうとうい問題点があった。
【０００４】
そこで、特許文献１に記載の技術では、演奏者により選択された自動伴奏に適した音色を自動的に決定し、決定した音色でメロディパートを演奏することができるようにしている。かかる技術によれば、自動伴奏とメロディパートの音色とが合うかどうかを確認する操作が不要になり、前記問題点を解消することが可能になる。
【０００５】
【特許文献１】特開平４−１３１９２号公報
【発明の開示】
【発明が解決しようとする課題】
【０００６】
しかしながら、前述した従来の技術では、演奏者により選択された自動伴奏に対してメロディパートの音色を一義的に定めてしまう。したがって、前述した従来の技術では、前記定めた音色が演奏者の意図する音色でない場合が生じる。このため、演奏者が意図する音色でメロディパートの楽音を発音させるようにすることが困難であるという問題点があった。
本発明は、前述の問題点に鑑みてなされたものであり、演奏者が意図する音色でメロディパートの楽音を発音させるようにすることが、可及的に簡単な操作により実現できるようにすることを目的とする。
【課題を解決するための手段】
【０００７】
本発明の電子楽器は、複数の自動伴奏から所望の自動伴奏を演奏者が選択する際に用いられる複数の自動伴奏選択用操作子と、前記複数の自動伴奏選択用操作子の何れかを用いて演奏者により選択された自動伴奏に適した１つ又は複数の音色を、演奏者に報知する音色候補報知手段とを有することを特徴とする。
【発明の効果】
【０００８】
本発明によれば、演奏者により選択された自動伴奏に適した１つ又は複数の音色を、演奏者に報知するようにしたので、演奏者は、自動伴奏に適した音色がどのようなものであるのかを知ることができる。したがって、演奏者は、自動伴奏に適した音色を効率良く、短時間で選択することができるようになる。これにより、演奏者が意図する音色でメロディパートを演奏することが可及的に簡単な操作により実現することができるようになる。
【発明を実施するための最良の形態】
【０００９】
（第１の実施形態）
次に、図面を参照しながら、本発明の第１の実施形態について説明する。
図１は、本実施形態の電子楽器の概略構成の一例を示したブロック図である。
図１において、電子楽器１は、中央処理装置（以下、ＣＰＵと称する）２と、フラッシュメモリ３と、ランダムアクセスメモリ（以下、ＲＡＭと称する）４と、信号バス５と、キーボード部６と、操作パネル部７と、楽音発生部８と、デジタル／アナログ変換部（以下、Ｄ／Ａ変換部と称する）９と、アナログ信号処理部１０と、パワーアンプ１１と、スピーカ部１２と、レコーダ１３と、外部記憶装置１４と、インターフェース部１５とを有している。
【００１０】
図１に示すように、ＣＰＵ２、フラッシュメモリ３、ＲＡＭ４、キーボード部６、操作パネル部７、楽音発生部８、レコーダ１３、外部記憶装置１４、及びインターフェース部１５は、それぞれ信号バス５に接続され、相互に通信することが可能である。
【００１１】
（キーボード部）
キーボード部６は、演奏を行うための複数の鍵と、その鍵の各々に対応して設けられた鍵スイッチとを含む複数の鍵盤を有している。
【００１２】
（操作パネル部）
操作パネル部７は、各種操作子と、表示装置（表示部）とを有している。本実施形態において、前記表示装置は、ＬＣＤ（液晶表示装置）２６である（図２を参照）。この液晶表示装置２６は、前記各種操作子の選択状態や設定状態などを表示する。
【００１３】
図２は、操作パネル７の構成の一例を示す図である。なお、図２に示す操作子以外にも様々な操作子が操作パネル７に配設されているが、図２では、操作パネル７に配設される各種操作子のうち、主要な操作子のみを示している。
【００１４】
図２に示すように、本実施形態の操作パネル７には、自動伴奏スイッチ（STYLE）２１、音色（SOUND）スイッチ２２、自動伴奏開始（START）スイッチ２３、入力（ENTER）スイッチ２４、及び表示項目選択（VALUE）スイッチ２５が配設されている。
【００１５】
自動伴奏スイッチ２１は、所望の自動伴奏を選択する際に演奏者により操作される操作子である。本実施形態では、６つの自動伴奏スイッチ２１ａ〜２１ｆが配設されている。また、これら６つの自動伴奏スイッチ２１ａ〜２１ｆのそれぞれには、ＬＥＤ（Light Emitting Diode）３１ａ〜３１ｆが内蔵されている。
【００１６】
音色スイッチ２２は、所望の音色を選択する際に演奏者により操作される操作子である。本実施形態では、６つの音色スイッチ２２ａ〜２２ｆが配設されている。また、これら６つの音色スイッチ２２ａ〜２２ｆのそれぞれには、ＬＥＤ３２ａ〜３２ｆが内蔵されている。
【００１７】
自動伴奏開始スイッチ２３は、自動伴奏スイッチ２１を用いて演奏者により選択された自動伴奏に対応する自動伴奏データをレコーダ１３から読み出して、自動伴奏を開始する際に演奏者により操作される操作子である。すなわち、自動伴奏開始スイッチ２３は、前記鍵盤の押鍵及び離鍵に応じたメロディパート（演奏音）を発音させて行うマニュアル演奏を補助する自動伴奏機能を実行する際に演奏者により操作されるスイッチである。
【００１８】
入力スイッチ２４は、操作パネル７における種々の決定を行う際に演奏者により操作される操作子である。具体的に説明すると、入力スイッチ２４は、音色スイッチ２２を用いて演奏者により選択された音色でメロディパートを演奏することを決定したり、液晶表示装置２６に表示された項目を決定したりするときなどに演奏者により操作される操作子である。
表示項目選択スイッチ２５は、液晶表示装置２６に表示された項目を選択する際に演奏者により操作される操作子である。本実施形態では、表示項目選択スイッチ２５は、液晶表示装置２６に表示されたカーソルを上に移動させる際に演奏者により操作されるアップスイッチ２５ａと、前記カーソルを下に移動させる際に演奏者により操作されるダウンスイッチ２５ｂとを備えている。
【００１９】
この他、前記各種操作子として、音量設定ボリュームや録音ボタンなども配設されている。
前記音量設定ボリュームは、出力する楽音の音量を設定するための操作子である。この音量設定ボリュームの操作により、所望の音量が設定されると、設定内容に応じた音量を有する楽音が出力される。
前記録音ボタンは、前記鍵盤の押鍵及び離鍵に応じたメロディパート（演奏音）を発音させて行うマニュアル演奏を録音（記録）するときに、演奏者により操作される操作子である。
【００２０】
（ＣＰＵ）
ＣＰＵ２は、本実施の形態の電子楽器１の全体を統括制御するためのものであり、フラッシュメモリ３に格納されている制御プログラムに従って、ＲＡＭ４をワークメモリとして利用しながら、例えば次のような処理を行う。
【００２１】
ＣＰＵ２は、操作パネル部７に配設されている各種操作子のスキャン処理を行い、各種操作子の操作内容を判断する。
具体的に説明すると、ＣＰＵ２は、自動伴奏スイッチ２１ａ〜２１ｆの何れかが演奏者により操作されたと判断すると、操作された自動伴奏スイッチ２１ａ〜２１ｆに内蔵されているＬＥＤ３１ａ〜３１ｆを点灯させる。
ＣＰＵ２は、このようにして自動伴奏スイッチ２１ａ〜２１ｆの何れかが操作され、自動伴奏が演奏者により選択された後に、自動伴奏開始スイッチ２３が演奏者により操作されたと判断すると、選択された自動伴奏のデータ（自動伴奏データ）をレコーダ１３から読み出して、楽音発生部８に割り当てる処理を行う。
【００２２】
また、ＣＰＵ２は、前述したようにして、自動伴奏スイッチ２１ａ〜２１ｆの何れかが演奏者により操作され、自動伴奏が選択されたと判断すると、選択された自動伴奏に適した音色をフラッシュメモリ３に記憶されているテーブルから読み出す。このテーブルには、各自動伴奏に適した１つ又は複数の音色が登録されている。
【００２３】
そして、図３（ａ）に示すように、ＣＰＵ２は、前記読み出した音色に対応する音色スイッチ２２ａ〜２２ｃに内蔵されているＬＥＤ３２ａ〜３２ｆを点滅させる。これにより、演奏者により選択された自動伴奏に適したメロディパートの音色を演奏者に報知することができる。図３（ａ）に示す例では、音色スイッチ２２ａ、２２ｄに内蔵されているＬＥＤ３２ａ、３２ｄを点滅させた例を示しており、第１のピアノの音色（PIANO1）とオルガンの音色（ORGAN）とが、選択された自動伴奏に適した音色であることを演奏者に報知するようにしている。
【００２４】
その後、ＣＰＵ２は、演奏者により音色スイッチ２２ａ〜２２ｆの何れかが操作されたと判断すると、その音色スイッチ２２ａ〜２２ｆが内蔵しているＬＥＤ３２ａ〜３２ｆを点灯させるとともに、点滅中のＬＥＤ３２ａ〜３２ｆについては、点滅状態を継続させる。具体的に説明すると、例えば、図３（ａ）の状態から図３（ｂ）の状態にＬＥＤ３２ａ〜３２ｆの表示を変更する。図３（ｂ）では、音色スイッチ２２ａが演奏者により選択された例を示しており、音色スイッチ２２ａに内蔵されているＬＥＤ３２ａを点灯させるとともに、ＬＥＤ３２ｄを点滅状態のままにしていることを示している。すなわち、図３（ｂ）では、第１のピアノの音色（PIANO1）が、演奏者により選択されたことを示している。
【００２５】
その後、ＣＰＵ２は、演奏者により入力スイッチ２４が操作されたと判断すると、音色スイッチ２２ａ〜２２ｆに内蔵されているＬＥＤ３２ａ〜３２ｆの点滅表示を止める（点滅中の全てのＬＥＤ３２ａ〜３２ｆを消灯する）。具体的に説明すると、例えば、図３（ｂ）の状態から図３（ｃ）の状態にＬＥＤ３２ａ〜３２ｆの表示を変更する。図３（ｃ）では、点滅していたＬＥＤ３２ｄが消灯したことを示している。
【００２６】
また、ＣＰＵ２は、キーボード部６の各鍵スイッチのスキャン処理を行って、鍵の押鍵または離鍵に基づいて発生された演奏データを楽音発生部８に割り当てる処理を行う。この演奏データは、前記各鍵の操作が押鍵（キーオン）であるか離鍵（キーオフ）であるかを示すキーオン／オフ信号や、音高データであるキーナンバや、音量制御データであるベロシティデータや、各鍵の動作スピードに関するキータッチレスポンス信号などから構成される。
【００２７】
さらに、ＣＰＵ２は、操作パネル部７に配設されている前記音色スイッチ２２や音量設定ボリュームのスキャン処理を行って、設定内容に応じた所望のデジタル楽音信号ＤＭＳを楽音発生部８から発生させるための処理を行う。具体的に説明すると、ＣＰＵ２は、前述したようにして演奏者により選択された音色スイッチ２２ａ〜２２ｆに対応する音色データをフラッシュメモリ３から読み出す。
【００２８】
（フラッシュメモリ）
フラッシュメモリ３は、書き込み可能なメモリであり、前述のようなＣＰＵ２の制御プログラムの他、前述したテーブルや、楽音発生部８から所望の楽音信号を発生させるために必要なパラメータデータ（例えば、自動伴奏データ、音色データ）など、種々のデータを格納する。
【００２９】
（ＲＡＭ）
ＲＡＭ４は読み書きが可能なメモリであり、ＣＰＵ２のプログラム実行過程において各種の必要なデータを一時的に記憶したり、編集可能なパラメータデータを記憶したりする記憶領域を有している。このＲＡＭ４の一部あるいは全部はバッテリーバックアップされており、操作パネル部７により設定された音色に応じた必要なデータなどを、電子楽器１の電源がオフにされても保持しておくことができるようになされている。
【００３０】
（楽音発生部）
楽音発生部８は、前述したようにしてＣＰＵ２により割り当てられた演奏データと、操作パネル部７の設定内容（例えば、前記音色設定スイッチの操作内容を表す音色情報と、前記音量設定ボリュームの操作内容を表す音量情報など）とに基づいて、所望のデジタル楽音信号ＤＭＳを発生させる。
【００３１】
（Ｄ／Ａ変換部）
Ｄ／Ａ変換部９は、楽音発生部８で発生されたデジタル楽音信号ＤＭＳをアナログ楽音信号に変換する機能を有する。
（アナログ信号処理部）
アナログ信号処理部１０は、Ｄ／Ａ変換部９でＤ／Ａ変換されたアナログ楽音信号に対し、簡単なフィルタ処理（ノイズ除去処理）を施す機能を有する。
【００３２】
（パワーアンプ）
パワーアンプ１１は、アナログ信号処理部１０でノイズ除去処理が施されたアナログ楽音信号に対し、増幅処理を施して適当なレベルに増幅する。
（スピーカ部）
スピーカ部１２は、パワーアンプ１１で増幅されたアナログ楽音信号を可聴信号として放音するためのものであり、１個あるいは複数個で構成されている。
【００３３】
（外部記憶装置）
外部記憶装置１４は、例えば、ＣＤ−ＲＷドライブである。そして、ＣＰＵ２は、ＣＤ−ＲＷドライブに装着されたＣＤ−ＲＯＭに記憶されている制御プログラムや各種データを読み出し、フラッシュメモリ３やＲＡＭ４などに記録する。これにより、プログラムのインストールやバージョンアップを容易に行うことができる。また、ＣＤ−ＲＷドライブに装着されたＣＤ−ＲＯＭに演奏データが記憶されている場合、ＣＰＵ２は、必要に応じて、前記記憶されている演奏データをレコーダ１３に記録する。また、演奏をＣＤ―Ｒディスクに書き込んだり、ＲＡＭ４に一時的に記憶した演奏をＣＤ−Ｒディスクに書き込んだりすることもできる。なお、外部記憶装置１４は、ＣＤ−ＲＷドライブに限定されず、フレキシブルディスク（ＦＤ）装置や、光磁気ディスク（ＭＯ）装置などであってもよいということは言うまでもない。
【００３４】
（インターフェース部）
インターフェース部１５は、ネットワークを介して外部の情報処理装置と接続され、電子楽器１と前記外部の情報処理装置とが通信することができるようにするためのものである。これにより、前記外部の情報処理装置からプログラムや各種データをダウンロードすることができるようになる。
【００３５】
次に、図４のフローチャートを参照しながら、本実施形態の電子楽器１に配設されたＣＰＵ２により実行されるメインルーチンの処理の一例を説明する。
【００３６】
まず、ステップＳ１において、初期化処理を行い、電子楽器１における動作モードを０に設定する（mode＝０）。
次に、ステップＳ２において、イベントが発生するまで待機する。ここで、イベントとは、操作パネル部７に配設された各種操作子や、キーボード部６に配設された鍵盤の演奏者による操作などを意味する。
そして、イベントが発生すると、ステップＳ３に進み、ステップＳ２で発生したと判定したイベントを実行するためのイベント実行処理を行う。
【００３７】
ここで、図５のフローチャートを参照しながら、イベント実行処理の詳細な処理の一例を説明する。
まず、ステップＳ２１において、自動伴奏スイッチ２１ａ〜２１ｆが操作されたか否かを判定する。この判定の結果、自動伴奏スイッチ２１ａが操作されていないと判定した場合には、後述するステップＳ２７以降の処理に進む。一方、自動伴奏スイッチ２１ａ〜２１ｆが操作されたと判定した場合には、ステップＳ２２に進み、操作された自動伴奏スイッチ２１ａ〜２１ｆに内蔵されているＬＥＤ３１ａ〜３１ｆを点灯する。
【００３８】
次に、ステップＳ２３において、操作された自動伴奏スイッチ２１ａ〜２１ｆに対応する自動伴奏データをフラッシュメモリ３から読み出し、読み出した自動伴奏データを楽音発生部８に割り当てる処理などを行う。
次に、ステップＳ２４において、操作された自動伴奏スイッチ２１ａ〜２１ｆに対応する自動伴奏（前記割り当てた自動伴奏データ）に適した１つ又は複数の音色を、フラッシュメモリ３に格納されている前記テーブルから読み出す。
【００３９】
次に、ステップＳ２５において、ステップＳ２４で前記テーブルから読み出した１つ又は複数の音色に対応する音色スイッチ２２ａ〜２２ｆに内蔵されているＬＥＤ３２ａ〜３２ｆを点滅させる。
次に、ステップＳ２６において、電子楽器１における動作モードを１に設定し（mode＝１）、図４に示したメインルーチンに戻る（リターンする）。
【００４０】
前記ステップＳ２１において、自動伴奏スイッチ２１ａが操作されていないと判定した場合には、ステップＳ２７に進み、音色スイッチ２２ａ〜２２ｆが操作されたか否かを判定する。この判定の結果、音色スイッチ２２ａ〜２２ｆが操作されたと判定した場合には、後述するステップＳ３３以降の処理に進む。一方、音色スイッチ２２ａ〜２２ｆが操作されていないと判定した場合には、ステップＳ２８に進み、入力スイッチ２４が操作されたか否かを判定する。この判定の結果、入力スイッチ２４が操作されていないと判定した場合には、ステップＳ２９に進んでその他の処理を実行し、図４に示したメインルーチンに戻る（リターンする）。ここで、その他の処理とは、キーボード部８に配設された鍵盤の操作に基づく演奏データを楽音発生部８に割り当てる処理などである。
【００４１】
一方、入力スイッチ２４が操作されたと判定した場合には、ステップＳ３０に進み、点滅中のＬＥＤ３２ａ〜３２ｆがあるか否かを判定する。この判定の結果、点滅中のＬＥＤ３２ａ〜３２ｆがない場合には、図４に示したメインルーチンに戻る（リターンする）。一方、点滅中のＬＥＤ３２ａ〜３２ｆがある場合には、ステップＳ３１に進み、点滅中のＬＥＤ３２ａ〜３２ｆを消灯する。
次に、ステップＳ３２において、電子楽器１における動作モードを０に設定し（mode＝０）、図４に示したメインルーチンに戻る（リターンする）。
【００４２】
前記ステップＳ２７において、音色スイッチ２２ａ〜２２ｆが操作されたと判定した場合には、ステップＳ３３に進み、操作された音色スイッチ２２ａ〜２２ｆに内蔵されているＬＥＤ３２ａ〜３２ｆを点灯する（ＬＥＤ３２ａ〜３２ｆを点滅表示しているときにはその点滅表示を中止して点灯表示を行う）。
【００４３】
次に、ステップＳ３４において、操作された音色スイッチ２２ａ〜２２ｆに対応する音色データをフラッシュメモリ３から読み出し、読み出した音色データを楽音発生部８に割り当てて、図４に示したメインルーチンに戻る（リターンする）。
【００４４】
以上のように本実施形態では、自動伴奏スイッチ２１ａ〜２１ｆの何れかが演奏者により操作され、自動伴奏が選択されると、選択された自動伴奏に適した１つ又は複数の音色を、フラッシュメモリ３に格納されているテーブルから読み出し、読み出した音色に対応する音色スイッチ２２ａ〜２２ｆに内蔵されているＬＥＤ３２ａ〜３２ｆを点滅させることにより、前記自動伴奏に適した１つ又は複数の音色を演奏者に報知するようにしたので、演奏者は、自動伴奏に適した音色がどのようなものであるのかを容易に識別することができる。したがって、音楽に不慣れな初心者であっても自動伴奏に適した音色を効率良く、短時間で選択することができるようになる。これにより、自動伴奏に適した音色を演奏者が選択する場合であっても、演奏者が意図する音色でメロディパートを演奏することが可及的に簡単な操作により実現することができる。
【００４５】
また、本実施形態では、自動伴奏に適した１つ又は複数の音色を演奏者に報知すべくＬＥＤ３２ａ〜３２ｆを点滅させているときに入力スイッチ２４が演奏者により操作されると、点滅中のＬＥＤ３２ａ〜３２ｆを消灯するようにしたので、演奏者は、ＬＥＤ３２ａ〜３２ｆの表示状態を気にすることなくメロディパートを演奏することができる。
【００４６】
さらに、音色スイッチ２２が操作され、音色が選択された後であっても、入力スイッチ２４が操作されるまでは、ＬＥＤ３２ａ〜３２ｆの点滅表示を行うようにして、自動伴奏に適した音色の候補を継続して表示するようにしたので、演奏者は、選択した音色を変更したい場合にも、（自動伴奏スイッチ２１ａ〜２１ｆを再操作することなく）自動伴奏に適した音色を即座に知ることができる。
【００４７】
なお、本実施形態では、入力スイッチ２４の操作に基づいて、点滅中のＬＥＤ３２ａ〜３２ｆを消灯するようにしたが、必ずしも入力スイッチ２４の操作に基づいて、点滅中のＬＥＤ３２ａ〜３２ｆを消灯する必要はない。例えば、点灯中のＬＥＤ３２ａ〜３２ｆを内蔵している音色スイッチ２２ａ〜２２ｆの操作に基づいて、点滅中のＬＥＤ３２ａ〜３２ｆを消灯するようにしてもよい。
【００４８】
また、入力スイッチ２４などの操作に基づいて点滅中のＬＥＤ３２ａ〜３２ｆを消灯するようにすれば、演奏者の意図するタイミングで点滅中のＬＥＤ３２ａ〜３２ｆを消灯することができ好ましいが、必ずしも演奏者の操作に基づいて点滅中のＬＥＤ３２ａ〜３２ｆを消灯する必要はない。例えば、点滅中のＬＥＤ３２ａ〜３２ｆを内蔵している音色スイッチ２２ａ〜２２ｆが操作された場合には、その操作された音色スイッチ２２ａ〜２２ｆに内蔵されているＬＥＤ３２ａ〜３２ｆのみを点灯させ、残りのＬＥＤ３２ａ〜３２ｆを消灯するようにしてもよい。
【００４９】
なお、自動伴奏スイッチ２１を用いて演奏者が選択できる自動伴奏の種類や数、及び音色スイッチ２２を用いて演奏者が選択できる音色の種類や数は、本実施形態で示したものに限定されないということは言うまでもない。
また、音色スイッチ２２ａ〜２２ｆが操作されずに、自動伴奏開始スイッチ２３が操作された場合には、自動伴奏スイッチ２１ａ〜２１ｆを用いて選択された自動伴奏に適した音色を自動的に設定し、設定した音色でメロディパートの楽音を発音させるようにしてもよいし、前回設定した音色でメロディパートの楽音を発音させるようにしてもよい。
【００５０】
（第２の実施形態）
次に、本発明の第２の実施形態について説明する。前述した第１の実施形態では、音色スイッチ２２を点滅させることにより、自動伴奏に適した１つ又は複数の音色を演奏者に報知するようにしたが、本実施形態では、液晶表示装置２６を用いて自動伴奏に適した１つ又は複数の音色を演奏者に報知するようにする。このように、本実施形態と前述した第１の実施形態とは、自動伴奏に適した１つ又は複数の音色を演奏者に報知する方法が異なる。したがって、本実施形態では、前述した第１の実施形態と同一の部分については、図１〜図５に付した符号と同一の符号を付すなどして詳細な説明を省略する。
【００５１】
図６は、本実施形態の電子楽器に配設される操作パネルの構成の一例を示す図である。なお、図６においても、図２と同様に、図６に示す操作子以外にも様々な操作子が操作パネル６０に配設されているが、図６では、操作パネル６０に配設される各種操作子のうち、主要な操作子についてのみを示している。
【００５２】
図６に示すように、本実施形態の操作パネル６０には、図２に示した操作パネル７に配設される操作子２１〜２５に加え、音色推奨スイッチ６１が配設されている。
この音色推奨スイッチ６１は、自動伴奏スイッチ２１を用いて演奏者が選択した自動伴奏に適合する音色を液晶表示装置２６に表示させるようにする際に演奏者により操作される操作子である。また、この音色推奨スイッチ６１には、ＬＥＤ６２が内蔵されている。
【００５３】
本実施形態のＣＰＵ２は、自動伴奏スイッチ２１ａ〜２１ｆの何れかが演奏者により操作され、自動伴奏が選択されると、この音色推奨スイッチ６１を点滅（又は点灯）させる。このようにして自動伴奏が演奏者により選択されると、選択された自動伴奏に適合する１つ又は複数の音色をフラッシュメモリ３に格納されている前記テーブルから読み出し、読み出した音色を液晶表示装置２６に表示させる。図７に示す表示例では、第１のピアノの音色（PIANO1）とオルガンの音色（ORGAN）とが、選択された自動伴奏に適合した音色であることを演奏者に報知するようにしている。
【００５４】
演奏者は、以上のようにして液晶表示装置２６に表示された音色を参照して、音色スイッチ２２ａ〜２２ｆの何れかを操作する。例えば、演奏者は、第１のピアノの音色（PIANO1）でメロディパートを演奏することを希望する場合、音色スイッチ２２ａを操作する。そうすると、ＣＰＵ２は、操作した音色スイッチ２２ａ〜２２ｆに内蔵されているＬＥＤ３２ａ〜３２ｆを点灯する。
【００５５】
その後、演奏者が入力スイッチ２４を操作すると、ＣＰＵ２は、音色推奨スイッチ６１に内蔵されているＬＥＤ６２を消灯するとともに、液晶表示装置２６における音色の表示から、その音色の表示を行う前の表示へ液晶表示装置２６の表示内容を変更する。
【００５６】
以上のように本実施形態では、自動伴奏スイッチ２１ａ〜２１ｆの何れかが演奏者により操作され、自動伴奏が選択されると、推奨スイッチ６１に内蔵されているＬＥＤ６２を点滅（又は点灯）させる。その後、音色推奨スイッチ６１が演奏者により操作されると、前記選択された自動伴奏に適合した１つ又は複数の音色を液晶表示装置２６に表示する。これにより、自動伴奏に適する音色をより分かりやすく演奏者に報知することができる。
【００５７】
なお、本実施形態では、入力スイッチ２４の操作に基づいて、ＬＥＤ６２の消灯や液晶表示装置２６の表示の変更を行うようにしたが、必ずしもこのようにする必要はない。例えば、点灯中のＬＥＤ３２ａ〜３２ｆを内蔵している音色スイッチ２２ａ〜２２ｆの操作に基づいて、ＬＥＤ６２の消灯や液晶表示装置２６の表示の変更を行うようにしてもよい。
【００５８】
（第３の実施形態）
次に、本発明の第３の実施形態を説明する。本実施形態では、前述した第１及び第２の実施形態よりも、より詳細に音色を選択することができるようにする。このように、本実施形態と前述した第１及び第２の実施形態とは、自動伴奏に適した１つ又は複数の音色を演奏者に報知する方法が異なるだけである。したがって、本実施形態では、前述した第１及び第２の実施形態と同一の部分については、図１〜図７に付した符号と同一の符号を付すなどして詳細な説明を省略する。
【００５９】
本実施形態の電子楽器のハードウェアの構成は、前述した第１の実施形態又は第２の実施形態と同じである。
図８は、自動伴奏スイッチ２１ａ〜２１ｆの操作により演奏者により選択された自動伴奏に適合する１つ又は複数の音色を演奏者が選択する際に液晶表示装置２６に表示される内容の一例を示した図である。
【００６０】
まず、図８（ａ）に示すように、ＣＰＵ２は、選択された自動伴奏に適合した音色の１つである第１のピアノの音色（PIANO1）と、その第１のピアノの音色に属する音質（トーン）とを液晶表示装置２６に表示させる。このとき、第１のピアノの音色（PIANO1）の表示箇所にカーソル８１を重ねて表示させるようにする。
【００６１】
演奏者は、第１のピアノの音色（PIANO1）でメロディパートを演奏することを希望する場合、図８（ａ）に示した状態で、入力スイッチ２４を操作する。そうすると、ＣＰＵ２は、液晶表示装置２６における表示内容を、図８（ａ）に示した内容から図８（ｂ）に示した内容に変更する。すなわち、第１のピアノの音色（PIANO1）の表示箇所から、グランドピアノ（Grand Piano）の表示箇所へカーソル８１の表示位置を変更する。この状態で演奏者が入力スイッチ２４を操作すると、ＣＰＵ２は、演奏者が希望するメロディパートの音色がグランドピアノの音色であると判断し、そのグランドピアノの音色に対応する音色データを楽音発生部８に割り当てる。
【００６２】
一方、演奏者が、入力スイッチ２４を操作せずに表示項目選択スイッチ２５を操作すると、ＣＰＵ２は、液晶表示装置２６における表示内容を、図８（ｂ）に示した内容から、例えば図８（ｃ）に示した内容に変更する。すなわち、ＣＰＵ２は、演奏者が表示項目選択スイッチ２５を操作する毎に、前記選択された自動伴奏に適合した音質を液晶表示装置２６に順次表示させる。図８（ｃ）に示す例では、スタジオグランドピアノ（Studio Grand Piano）の音色を演奏者が選択することが可能な状態を示している。この状態で演奏者が入力スイッチ２４を操作すると、ＣＰＵ２は、演奏者が希望するメロディパートの音色がスタジオグランドピアノの音色であると判断し、そのスタジオグランドピアノの音色に対応する音色データを楽音発生部８に割り当てる。
【００６３】
演奏者は、メロディパートの音色として第１のピアノの音色（PIANO1）以外の音色を希望する場合、図８（ａ）に示す状態で表示項目選択スイッチ２５を操作する。そうすると、ＣＰＵ２は、液晶表示装置２６における表示内容を、図８（ａ）に示した内容から、例えば図８（ｄ）に示した内容に変更する。すなわち、ＣＰＵ２は、選択された自動伴奏に適合した他の音色の１つであるオルガンの音色（ORGAN）と、そのオルガンの音色に属する音質（トーン）とを液晶表示装置２６に表示させる。このとき、オルガンの音色（ORGAN）の表示箇所にカーソル８１を重ねて表示させるようにする。そして、演奏者は、オルガンの音色（ORGAN）でメロディパートを演奏することを希望する場合、図８（ｄ）に示した状態で、入力スイッチ２４を操作する。そして、ＣＰＵ２は、図８（ｂ）及び図８（ｃ）と同様に、オルガンの音色（ORGAN）に属する音質を演奏者に選択させるようにする。
【００６４】
以上のように本実施形態では、音色スイッチ２２ａ〜２２ｂの操作により演奏者により選択された音色に属する音質を液晶表示装置２６に表示し、表示した音質の中から演奏者により選択された音質を、メロディパートを演奏する際の音色にするようにしたので、前述した第１及び第２の実施形態の効果に加え、メロディパートを演奏する際の音色をより詳細に演奏者に選択させるようにすることができる。これにより、演奏者の意図する音色により近い音色でメロディパートの楽音を発音させることができる。
【００６５】
なお、本実施形態の処理を第１の実施形態に適用する場合には、例えば、図５に示したフローチャートのステップＳ３４の代わりに、前述した本実施形態の処理を行うようにすればよい。
また、本実施形態の処理を第２の実施形態に適用する場合には、図７に示した表示の代わりに図８に示した表示を行うようにすればよい。
【００６６】
（本発明の他の実施形態）
前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００６７】
また、この場合、前記ソフトウェアのプログラムコード自体が前述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６８】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【００６９】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【図面の簡単な説明】
【００７０】
【図１】本発明の第１の実施形態を示し、電子楽器の概略構成の一例を示したブロック図である。
【図２】本発明の第１の実施形態を示し、操作パネルの構成の一例を示した図である。
【図３】本発明の第１の実施形態を示し、音色スイッチに配設されるＬＥＤの表示状態の一例を示した図である。
【図４】本発明の第１の実施形態を示し、電子楽器１に配設されたＣＰＵにより実行されるメインルーチンの処理の一例を説明するフローチャートである。
【図５】本発明の第１の実施形態を示し、イベント実行処理の詳細な処理の一例を説明するフローチャートである。
【図６】本発明の第２の実施形態を示し、電子楽器に配設される操作パネルの構成の一例を示す図である。
【図７】本発明の第２の実施形態を示し、自動伴奏に適合する１つ又は複数の音色を報知する際に液晶表示装置に表示される内容の一例を示した図である。
【図８】本発明の第３の実施形態を示し、自動伴奏に適合する音色を演奏者が選択する際に液晶表示装置に表示される内容の一例を示した図である。
【符号の説明】
【００７１】
１  電子楽器
２  ＣＰＵ
３  フラッシュメモリ
４  ＲＡＭ
６  キーボード部
７  操作パネル部
８  楽音発生部
１３  レコーダ
２１  自動伴奏スイッチ
２２  音色スイッチ
２３  自動伴奏開始スイッチ
２４  入力スイッチ
２５  表示項目選択スイッチ
２６  液晶表示装置
３１、３２、６２  ＬＥＤ
６１  音色推奨スイッチ
【図１】
2005284075.tif 000003
【図２】
2005284075.tif 000004
【図３】
2005284075.tif 000005
【図４】
2005284075.tif 000006
【図５】
2005284075.tif 000007
【図６】
2005284075.tif 000008
【図７】
2005284075.tif 000009
【図８】
2005284075.tif 000010